(57)【要約】【課題】意匠性を損なうことなく、ロール紙補充時の作業性向上及びロール紙繰り出し時の使用勝手の両立を図ることができるロール紙ホルダを提供する。【解決手段】ロール紙ホルダ１０は、背面部１１ａが壁面Ｗに対し固定されるベース部材１３と、ベース部材１３に固定され、ロール紙１４の芯１５内に挿入されロール紙１４を支持するための左右２本の芯棒１８と、を備えている。ベース部材１３は、背面部１１ａを有するブラケット１１と、その正面側から斜め下方へ延設された平板状のアーム１２と、を備え、アーム１２の下端部から左右方向へ略丸棒形状の芯棒１８が水平状態に取り付けられている。芯棒１８は、ベース部材１３のアーム１２に固定される固定芯棒１６と、固定芯棒１６に対して回転軸２０を介して回転可能に軸支された回転芯棒１７と、を有し、芯棒１８の固定端寄りに回転軸２０（屈折点）が設けられている。【選択図】図１
2010227249.tif 000002
【特許請求の範囲】
【請求項１】
背面部が壁面に対し固定されるベース部材と、前記ベース部材に固定され、ロール紙の芯内に挿入され前記ロール紙を支持する芯棒と、を備えたロール紙ホルダにおいて、
前記芯棒は、その一端側がベース部材に対し固定される固定端とされ、その他端側が前記固定端から所定距離だけ離間した位置を屈折点として正面側に屈折可能に構成することにより移動可能な自由端とされるとともに、
前記芯棒が前記ロール紙を使用位置に支持した状態において、前記屈折点が前記ロール紙の芯内に位置するように構成したことを特徴とするロール紙ホルダ。
【請求項２】
少なくとも前記芯棒の自由端側に、少なくとも上方に突出するスライド規制突起を設けたことを特徴とする請求項１記載のロール紙ホルダ。
【請求項３】
前記芯棒の固定端寄りに前記屈折点を設けたことを特徴とする請求項１記載のロール紙ホルダ。
【請求項４】
前記芯棒の正面側への屈折に連動して前記芯棒から背面側へ突出する屈折規制突起を設けたことを特徴とする請求項１記載のロール紙ホルダ。
【請求項５】
前記芯棒は、前記ベース部材に固定される固定芯棒と、前記固定芯棒に対して回転軸を介して回転可能に軸支された回転芯棒と、を有し、前記回転芯棒の一部を前記回転軸より前記固定芯棒側に突設させることによって前記屈折規制突起を形成したことを特徴とする請求項４記載のロール紙ホルダ。
【請求項６】
前記芯棒が前記ロール紙を使用位置に支持した状態において前記屈折規制突起を格納する凹部を前記固定芯棒に形成したことを特徴とする請求項５記載のロール紙ホルダ。
【発明の詳細な説明】
【技術分野】
【０００１】
本発明は、トイレで使用されるロール紙を繰り出し可能に保持するため、トイレ室壁面などに設置されるロール紙ホルダに関する。
【背景技術】
【０００２】
トイレで使用されるロール紙を保持するロール紙ホルダについては、従来、様々なデザイン、構造のものが提案されているが、本願発明に関連するロール紙ホルダとして、トイレ室内の壁面などに設置され、ロール紙の芯内に挿入される芯棒がその一端を中心にして前後方向に回動可能に構成されたものがある（例えば、特許文献１参照。）。特許文献１記載のロール紙ホルダは、当該ロール紙ホルダの上方や側方に棚や手洗器が設置されている場合であっても、その正面からロール紙の補充作業を行うことができる。
【先行技術文献】
【特許文献】
【０００３】
【特許文献１】特開２００４−３５１０６６号公報
【発明の概要】
【発明が解決しようとする課題】
【０００４】
特許文献１記載のロール紙ホルダの場合、芯棒がロール紙の使用位置にあるとき、その自由端は凹所または孔に凹凸係合することによって固定されている。しかしながら、ロール紙が繰り出される際にロール紙全体に大きな引張力が作用すると、芯棒はロール紙を介して正面側へ向かう力を受け、使用中であるにもかかわらず、自由端の係合が解除されて芯棒が正面側へ回動してしまい、使用勝手が大きく損なわれる。
【０００５】
本発明が解決しようとする課題は、意匠性を損なうことなく、ロール紙補充時の作業性向上及びロール紙繰り出し時の使用勝手の両立を図ることができるロール紙ホルダを提供することにある。
【課題を解決するための手段】
【０００６】
本発明のロール紙ホルダは、背面部が壁面に対し固定されるベース部材と、前記ベース部材に固定され、ロール紙の芯内に挿入され前記ロール紙を支持する芯棒と、を備えたロール紙ホルダにおいて、
前記芯棒は、その一端側がベース部材に対し固定される固定端とされ、その他端側が前記固定端から所定距離だけ離間した位置を屈折点として正面側に屈折可能に構成することにより移動可能な自由端とされるとともに、
前記芯棒が前記ロール紙を使用位置に支持した状態において、前記屈折点が前記ロール紙の芯内に位置するように構成したことを特徴とする。
【０００７】
このような構成とすれば、芯棒を屈折点で屈折させて自由端を正面側へ移動させることにより、正面側からロール紙の補充作業を行うことができるので、ロール紙補充時の作業性が向上する。また、ロール紙ホルダの使用時、ロール紙が繰り出されるときに、正面側へ向かう力を受けて芯棒が屈折しても、その屈折はロール紙の芯の内周面で囲まれた狭い範囲内に規制されるため、使用勝手が大きく損なわれることがない。また、芯棒の屈折点はロール紙の芯内に配置され、正面側から視認できない状態にあるため、意匠性を損なうこともない。即ち、本発明によれば、意匠性を損なうことなく、ロール紙補充時の作業性向上及びロール紙繰り出し時の使用勝手の両立を図ることができる。
【０００８】
ここで、少なくとも前記芯棒の自由端側に、少なくとも上方に突出するスライド規制突起を設けることが望ましい。
【０００９】
このような構成とすれば、ロール紙繰り出し時の芯棒の屈折に伴ってロール紙が芯棒の自由端側にスライドしたとき、ロール紙の芯の端面がスライド規制突起に当接して、それより自由端側へのスライド移動が規制されるため、屈折点がロール紙の芯内から出てしまう事態を防止することができ、使用時における芯棒の屈折を確実に所定範囲内に規制することができる。
【００１０】
本発明のロール紙ホルダに対してロール紙の補充を行う作業者は、正面側へ屈折している芯棒の自由端から屈折点近傍までの部分を新たなロール紙の芯内に挿入した後、自由端を使用位置まで戻して芯棒にロール紙を支持させることとなる。このような補充作業において、屈折している芯棒の自由端を使用位置まで戻すとき、自由端の側方にはロール紙の移動を妨げないよう空間が必要となる。
【００１１】
そこで、前記芯棒の固定端寄りに前記屈折点を設けることが望ましい。
【００１２】
このような構成とすれば、芯棒の自由端の側方における前記空間を小さくすることができるため、芯棒の自由端の近傍に棚や手洗器を設置することが可能となる。
【００１３】
また、前記芯棒の正面側への屈折に連動して前記芯棒から背面側へ突出する屈折規制突起を設けることが望ましい。
【００１４】
このような構成とすれば、使用時にロール紙に加わる力で芯棒が正面側へ屈折したとき、これと連動して背面側に突出する屈折規制突起がロール紙の芯の内周面と当接することにより、芯棒はそれ以上屈折できないように規制されるため、使用時における芯棒の屈折をさらに小さなものに抑制することができる。
【００１５】
一方、前記芯棒は、前記ベース部材に固定される固定芯棒と、前記固定芯棒に対して回転軸を介して回転可能に軸支された回転芯棒と、を有し、前記回転芯棒の一部を前記回転軸より前記固定芯棒側に突設させることによって前記屈折規制突起を形成することが望ましい。
【００１６】
このような構成とすれば、比較的簡素な構造でありながら、芯棒の正面側への屈折に連動して、確実に屈折規制突起を芯棒の背面側へ突出させることができる。
【００１７】
この場合、前記芯棒が前記ロール紙を使用位置に支持した状態において前記屈折規制突起を格納する凹部を前記固定芯棒に形成することが望ましい。
【００１８】
このような構成とすれば、芯棒がロール紙を使用位置に支持した状態にあるとき、屈折規制突起は凹部に格納された状態となるため、屈折規制突起がロール紙の繰り出しの邪魔となることがない。
【発明の効果】
【００１９】
本発明により、意匠性を損なうことなく、ロール紙補充時の作業性向上及びロール紙繰り出し時の使用勝手の両立を図ることができるロール紙ホルダを提供することができる。
【図面の簡単な説明】
【００２０】
【図１】本発明の実施形態であるロール紙ホルダを示す一部省略斜視図である。
【図２】図１に示すロール紙ホルダの分解斜視図である。
【図３】図１に示すロール紙ホルダの一部省略平面図である。
【図４】芯棒の屈折状態を示す模式図である。
【図５】芯棒の屈折状態を示す模式図である。
【発明を実施するための形態】
【００２１】
以下、図１〜図５に基づいて本発明の実施形態について説明する。なお、図１及び図３においては、後述する左右一対の紙切板１９Ｌ，１９Ｒのうちの右側の紙切板１９Ｒを省略して示している。
【００２２】
図１〜図３に示すように、本実施形態のロール紙ホルダ１０は、背面部１１ａが壁面Ｗに対し固定されるベース部材１３と、ベース部材１３に固定され、ロール紙１４の芯１５内に挿入されロール紙１４を支持するための左右２本の芯棒１８と、を備えている。ベース部材１３は、背面部１１ａを有するブラケット１１と、その正面側から斜め下方へ延設された平板状のアーム１２と、を備え、アーム１２の下端部から左右水平方向へ略丸棒形状の芯棒１８が延設されている。また、ブラケット１１の上面部から左右の芯棒１８の上方を覆うように紙切板１９Ｌ，１９Ｒが設けられ、紙切板１９Ｌ，１９Ｒのそれぞれの前縁部に沿って刃部１９ｃが設けられている。本実施形態では、アーム１２の下端部から左右方向にそれぞれ突出するように２本の芯棒１８を設け、合計２本のロール紙１４を支持可能な構造としているが、これに限定するものではない。
【００２３】
左右の芯棒１８は、ベース部材１３のアーム１２に水平状態に固定された固定芯棒１６と、固定芯棒１６の先端部に回転軸２０を介して回転可能に取り付けられた回転芯棒１７と、を備えている。本実施形態のロール紙ホルダ１０では、１本の固定芯棒１６が左右２本の回転芯棒１７の固定芯棒として機能している。これにより、芯棒１８の一端側である固定芯棒１６の中央部１６ｘがアーム１２に対し固定される固定端となり、その他端側である回転芯棒１７の先端部１７ｘが自由端となる。先端部１７ｘ（自由端）は、中央部１６ｘ（固定端）から所定距離だけ離間した回転軸２０の位置を屈折点として正面側に屈折することによって移動可能である。そして、後述する図４（ａ）に示すように、芯棒１８がロール紙１４を使用位置に支持した状態において、回転軸２０（屈折点）がロール紙１４の芯１５内に位置するように構成されている。
【００２４】
図２に示すように、ブラケット１１の正面部に水平方向の凹溝１１ｂが設けられ、アーム１２の上端部に固着された円管状の支持部材１２ａを凹溝１１ｂに嵌め込むことによってブラケット１１にアーム１２が固定される。支持部材１２ａの両端部には、略丸棒状の支軸２３の基端部２３ａが回転可能に挿入され、これらの支軸２３にそれぞれ紙切板１９Ｌ，１９Ｒが固定される。アーム１２の下端部にはベンチ形状のフック部１２ｂが設けられ、固定芯棒１６の中央背面部に設けられた凹部１６ａをフック部１２ｂに係合させ、フック部１２ｂの背面から２本のネジ２４を螺着することによって固定芯棒１６がアーム１２の下端部に固定される。
【００２５】
固定芯棒１６の両端部には、回転芯棒１７の基端部に形成されたほぞ状の連結部１７ａを挟持可能な一対の連結部１６ｂが形成されている。回転芯棒１７の連結部１７ａを固定芯棒１６の連結部１６ｂの間に差し込み、連結部１６ｂの軸孔１６ｃ及び連結部１７ａの長孔１７ｂに回転軸２０を連通状態で挿通することにより、固定芯棒１６の両端部に回転芯棒１７が回転可能に軸支される。また、回転芯棒１７の連結部１７ａには、回転軸２０を中心とする回転芯棒１７の正面側への屈折に連動して芯棒１８の背面側へ突出する屈折規制突起２２が設けられている。さらに、回転芯棒１７の連結部１７ａ内には、その端部から長孔１７ｂに向かって回転芯棒１７の軸心に沿って付勢部材であるバネ２５が配置されている。長孔１７ｂに挿通された回転軸２０の外周をバネ２５が回転芯棒１７の先端部１７ｘ側へ押圧することで生じる反力により、回転芯棒１７全体が連結部１７ａ側へ付勢されている。
【００２６】
芯棒１８の自由端側を構成する回転芯棒１７の先端部１７ｘ付近には、その上方に突出するスライド規制突起２１が設けられ、芯棒１８の固定端（固定芯棒１６の中央部１６ｘ）寄りに回転軸２０（屈折点）が設けられている。芯棒１８は、ベース部材１３のアーム１２に固定される固定芯棒１６と、固定芯棒１６に対して回転軸２０を介して回転可能に軸支された回転芯棒１７と、を有し、回転芯棒１７の連結部１７ａを当該回転芯棒１７の軸心方向へ突設させることによって屈折規制突起２２が形成されている。また、芯棒１８がロール紙１４を使用位置に支持した状態において屈折規制突起２２を格納するための凹部２６が固定芯棒１６の連結部１６ｂの間に形成されている。
【００２７】
次に、図４，図５に基づいて、本実施形態のロール紙ホルダ１０の使い方及び機能などについて説明する。図４（ａ）に示すように、芯棒１８がロール紙１４を使用位置に支持した状態において、回転軸２０（屈折点）がロール紙１４の芯１５内に位置するように構成されている。この状態においてロール紙１４は芯棒１８によって回転自在に保持されているため、従来と同様、ロール紙１４を引き出し、紙切板１９Ｒの刃部１９ｃを利用して必要な長さにカットして使用することができる。
【００２８】
ロール紙ホルダ１０からロール紙が繰り出されるときに、図４（ｂ）に示すように、正面側へ向かう力を受けて芯棒１８が屈折した場合、その屈折はロール紙１４の芯１５の内周面で囲まれた狭い範囲内に規制されるため、使用勝手が大きく損なわれることがない。また、芯棒１８の屈折点（回転軸２０）はロール紙１４の芯１５内に配置され、正面側から視認できない状態にあるため、意匠性を損なうこともない。
【００２９】
また、使用時にロール紙１４を引き出すときに加わる力で芯棒１８が正面側へ屈折したとき、これと連動して屈折規制突起２２が背面側に突出し、ロール紙１４の芯１５の内周面と当接することにより、芯棒１８はそれ以上屈折できないように規制されるため、使用時における芯棒１８の屈折をさらに小さなものに抑制することができる。この屈折規制突起２２は回転芯棒１７の一部である連結部１７ａ（図２参照）を回転軸２０より固定芯棒１６側に突設させることによって形成されているため、比較的簡素な構造でありながら、芯棒１８の正面側への屈折に連動して、確実に屈折規制突起２２を芯棒１８の背面側へ突出させることができる。
【００３０】
なお、図４（ａ）に示すように、固定芯棒１６には凹部２６が形成されているので、芯棒１８がロール紙１４を使用位置に支持した状態にあるとき、屈折規制突起２２は凹部２６に格納された状態となり、屈折規制突起２２がロール紙１４の繰り出しを妨げることはない。
【００３１】
また、図４（ｂ）に示すように、ロール紙１４を引き出すときに加わる力によってロール紙１４の芯棒１８が正面側へ屈折するとともに、芯１５が回転芯棒１７の先端部１７ｘ側へ移動した場合、図４（ｃ）に示すように、ロール紙１４の芯１５の端面がスライド規制突起２１に当接して、それより自由端側（先端部１７ｘ側）へのスライド移動が阻止されるため、屈折点である回転軸２０がロール紙１４の芯１５内から露出してしまう事態を防止することができる。従って、使用時における芯棒１８の屈折を確実に所定範囲内に規制することができる。
【００３２】
なお、図４（ｄ）に示すように、スライド規制突起２１が無い場合、芯１５は回転芯棒１７の先端部１７ｘ側へ移動していき、屈折点である回転軸２０がロール紙１４の芯１５内から露出してしまうので、芯棒１８の屈折を規制することができなくなり、芯棒１８から芯１５が離脱してしまう。
【００３３】
一方、ロール紙１４が使い果たされ、空になった芯１５を芯棒１８から取り外す場合、スライド規制突起２１が芯１５内に収まる程度まで芯１５を持ち上げ、先端部１７ｘ方向へ移動させ、芯棒１８から引き抜きながら芯棒１８を正面側へ屈折させれば、スライド規制突起２１に干渉されることなく、容易に取り外すことができる。
【００３４】
ロール紙ホルダ１０に対してロール紙の補充を行う作業者は、図５に示すように、正面側へ屈折している芯棒１８の自由端（先端部１７ｘ）から屈折点（回転軸２０）近傍までの部分を新たなロール紙１４の芯１５内に挿入した後、自由端（先端部１７ｘ）を使用位置まで戻して芯棒１８にロール紙１４を支持させる。このような補充作業において、屈折している芯棒１８の自由端（先端部１７ｘ）を使用位置まで戻すとき、自由端（先端部１７ｘ）の側方にはロール紙１４の移動を妨げないよう空間Ｌが必要となる。そこで、本実施形態のロール紙ホルダ１０では、芯棒１８の固定端（固定芯棒１６の中央部１６ｘ）寄りに屈折点（回転軸２０）を設けることにより、この空間Ｌの狭小化を図っている。従って、芯棒１８の自由端（先端部１７ｘ）の近傍に棚や手洗器などを設置することが可能となり、スペースの有効活用を図ることができる。
【００３５】
図３に示すように、固定芯棒１６に設けられた一対の連結部１６ｂ間の背面側には固定芯棒１６の先端側へ突出する凸部２７が形成され、芯棒１８が使用状態（直線状）にあるとき、この凸部２７が嵌入可能な凹部２８が回転芯棒１７の屈折規制突起２２に形成されている。また、前述したように、回転芯棒１７の連結部１７ａ内には、その端部から長孔１７ｂに向かって回転芯棒１７の軸心に沿って付勢部材であるバネ２５が配置され、長孔１７ｂに挿通された回転軸２０の外周をバネ２５が回転芯棒１７の先端部１７ｘ側へ押圧することで生じる反力により、回転芯棒１７全体が連結部１７ａ側へ付勢されている。
【００３６】
従って、図４（ａ）に示すように、芯棒１８がロール紙１４を使用位置に支持した状態にあるとき、凸部２７は凹部２８に嵌入するとともにバネ２５の反力によって凸部２７が凹部２８へ押圧されており、これによって芯棒１８が直線状態を保っている。このため、ロール紙１４を引き出すときに加わる力によってロール紙１４の芯棒１８が正面側へ容易に屈折することはない。
【００３７】
一方、図３に示すように、正面側へ屈折している芯棒１８の自由端（先端部１７ｘ）を使用位置まで戻すとき、バネ２５の付勢力によって凸部２７が凹部２８に嵌入することにより、芯棒１８が直線状態となる瞬間にクリック感が生じる。従って、芯棒１８の自由端（先端部１７ｘ）を使用位置まで戻すとき、作業者が前記クリック感を手で感じることにより、芯棒１８が正しい使用位置に復帰したことを確認することができる。
【００３８】
以上のように、ロール紙ホルダ１０によれば、意匠性を損なうことなく、ロール紙補充時の作業性向上及びロール紙繰り出し時の使用勝手の両立を図ることができる。なお、本実施形態のロール紙ホルダ１０においては、芯１５を有するロール紙１４を使用しているが、これに限定するものではないので、芯１５の無いロール紙であっても同様に使用することができる。
【産業上の利用可能性】
【００３９】
本発明のロール紙ホルダは、一般住宅や公共施設などのトイレにおいて広く利用することができる。
【符号の説明】
【００４０】
１０  ロール紙ホルダ
１１ブラケット
１１ａ  背面部
１１ｂ  凹溝
１２  アーム
１２ａ  支持部材
１２ｂ  フック部
１３  ベース部材
１４  ロール紙
１５  芯
１６  固定芯棒
１６ａ  凹部
１６ｂ，１７ａ  連結部
１６ｃ  軸孔
１６ｘ  中央部
１７  回転芯棒
１７ｂ  長孔
１７ｘ  先端部
１８  芯棒
１９Ｌ，１９Ｒ  紙切板
１９ｃ  刃部
２１  スライド規制突起
２２  屈折規制突起
２３  支軸
２３ａ  基端部
２４  ネジ
２５  バネ
２６，２８  凹部
２７  凸部
Ｌ  空間
Ｗ  壁面
【図１】
2010227249.tif 000003
【図２】
2010227249.tif 000004
【図３】
2010227249.tif 000005
【図４】
2010227249.tif 000006
【図５】
2010227249.tif 000007